(57)【要約】      （修正有）【課題】自立型の壁および建物の壁構造の垂直およびほぼ垂直な面に園芸材料を固定することが可能で、これにより構造体の美的外観を高め、関連する建物の熱効率を改善させるモジュール式の壁面緑化システムを提供する。【解決手段】設置構造体は第１端部と第２端部を含む第１部材であって、設置構造体がほぼ垂直方向に延在する壁面１２から支持される第１部材と、中に園芸材料を収容するように適合された仕切りを形成する複数の側壁１６と底部壁と、その中を通る流体を収容するように適合された上向きに開いた開口部とを含むプランターボックス１４とを備える。側壁１６が壁面１２に面する後部壁２２を備え、プランターボックス１４が設置構造体に設置されるように適合されることで後部壁２２が壁面１６から離間され、その間に空間を形成する。【選択図】図１
2014064558.tif 000002
【特許請求の範囲】
【請求項１】
設置構造体を備えるモジュール式の壁設置型農業システムであって、
前記設置構造体が、
第１端部と第２端部を含む第１部材であって、前記設置構造体がほぼ垂直方向に延在する壁面から支持される第１部材と、
中に園芸材料を収容するように適合された仕切りを協働して形成する複数の側壁および１つの底部壁と、その中を通る流体を収容するように適合された上向きに開いた開口部とを含む少なくとも１つのプランターボックスとを備え、前記側壁の少なくとも１つが、前記壁面に面する後部壁を備え、前記少なくとも１つのプランターボックスが、前記設置構造体に設置されるように適合されることで前記後部壁が前記壁面から離間され、その間に空間を形成し、前記少なくとも１つのプランターボックスが、前記仕切りと、前記後部壁と前記壁面の間に位置決めされる前記空間と流体連通する開口部を含むモジュール式の壁設置型農業システム。
【請求項２】
前記少なくとも１つのプランターボックスが、前記開口部と、前記空間の間に流体連通を形成する流体導管を含む、請求項１に記載のモジュール式の壁設置型農業システム。
【請求項３】
前記流体導管が、前記プランターボックスの前記後部壁と一体式である、請求項２に記載のモジュール式の壁設置型農業システム。
【請求項４】
前記導管が半円の断面構造を有する、請求項３に記載のモジュール式の壁設置型農業システム。
【請求項５】
前記設置構造体の前記第１部材が、少なくとも１つの長手方向に延在するチャネルを含み、前記少なくとも１つのプランターボックスが、前記少なくとも１つのチャネルの中で支持される、請求項１に記載のモジュール式の壁設置型農業システム。
【請求項６】
前記設置構造体の前記第１部材が、前記第１端部と前記第２端部の間に長手方向に延在する流体導管を備え、前記少なくとも１つのプランターボックスが、前記流体導管を介して前記上向きに開いた開口部を通る流体を受け取る、請求項５に記載のモジュール式の壁設置型農業システム。
【請求項７】
前記設置構造体がさらに、前記第１部材と前記壁面の間に位置決めされた第２部材を備え、前記第２部材が前記壁面に装着され、前記第１部材が前記第２部材に装着されることで、前記第１設置構造体を前記壁面から支持する、請求項５に記載のモジュール式の壁設置型農業システム。
【請求項８】
前記第１部材が、前記壁面に対してほぼ水平方向に延在し、前記第２部材が、前記壁面に対してほぼ垂直方向に延在する、請求項７に記載のモジュール式の壁設置型農業システム。
【請求項９】
前記第２部材が、ほぼハット型の断面構造を有する、請求項７に記載のモジュール式の壁設置型農業システム。
【請求項１０】
前記少なくとも１つのチャネルが、上向きに開いた第１チャネルと、下向きに開いた第２チャネルを含み、前記少なくとも１つのプランターボックスが、前記第１チャネル内に設置された第１のプランターボックスと、前記第２チャネル内に設置された第２のプランターボックスを含む、請求項５に記載のモジュール式の壁設置型農業システム。
【請求項１１】
前記設置構造体の前記第１部材が、ほぼＨ型の断面構造を有する、請求項１０に記載のモジュール式の壁設置型農業システム。
【請求項１２】
前記少なくとも１つのプランターボックスが、前記少なくとも１つのチャネルと取り外し可能に係合するように適合された外向きに延在するほぼ平坦な部分を含む、請求項５に記載のモジュール式の壁設置型農業システム。
【請求項１３】
前記設置構造体の前記第１部材が、前記第１端部と前記第２端部の間に長手方向に延在する流体導管を備え、前記設置構造体がさらに、前記導管と流体連通し、前記少なくとも１つのプランターボックスの中に配置された園芸材料に水と供給するように適合されたノズルとドリップ組立体の少なくとも１つの選択された方を備える、請求項１に記載のモジュール式の壁設置型農業システム。
【請求項１４】
前記少なくとも１つのプランターボックスが、複数の垂直方向に位置合わせされたプランターボックスを含み、プランターボックスの前記後部壁と、前記壁面の間に位置する前記空間が互いに流体連通する、請求項１に記載のモジュール式の壁設置型農業システム。
【請求項１５】
前記垂直方向に位置合わせされたプランターボックスの各々が、外向きに延在するほぼ平坦な部分を含み、これらが協働して、前記プランターボックスの前記後部壁と前記壁面の間に位置する前記空間を隠している、請求項１４に記載のモジュール式の壁設置型農業システム。
【請求項１６】
設置構造体を備えるモジュール式の壁設置型農業システムにおいて、
前記設置構造体が、
第１端部と第２端部を含み、前記設置構造体がほぼ垂直方向に延在する壁面から支持されるよう適合されており、前記第１端部と前記第２端部の間にそれぞれ延在する上向きに開いた第１チャネルと、下向きに開いた第２チャネルとを含む第１部材と、
中に園芸材料を収容するように適合された仕切りを協働して形成する前部壁、一組の側壁、後部壁および底部壁と、その中を通る流体を収容するように適合された上向きに開いた開口部とを各々含む一組のプランターボックスとを備え、前記後部壁が、前記壁面に面するように適合されることで、その間に空間を形成し、各々のプランターボックスが、前記仕切りと、前記後部壁と前記壁面の間に位置決めされる前記空間と流体連通する開口部を含み、前記一組のプランターボックスが、前記第１チャネルに取り外し可能に係合するように適合されたほぼ平坦な部分を有する第１のプランターボックスと、前記第２チャネルに取り外し可能に係合するように適合されたほぼ平坦な部分を有する第２のプランターボックスとを含むことで、前記第１および第２のプランターボックスが、少なくとも部分的に垂直方向に互いと位置合わせされ、前記プランターボックスの各々の前記後部壁と前記壁面の間の前記空間が互いに流体連通するモジュール式の壁設置型農業システム。
【請求項１７】
前記空間が、前記モジュール式の壁設置型農業システムの前方に立つ観察者の位置から見えないように隠される、請求項１６に記載のモジュール式の壁設置型農業システム。
【請求項１８】
前記少なくとも１つのプランターボックスが、前記開口部と前記空間の間に流体連通を形成する流体導管を含む、請求項１６に記載のモジュール式の壁設置型農業システム。
【請求項１９】
前記流体導管が、前記プランターボックスの前記後部壁と一体式である、請求項１８に記載のモジュール式の壁設置型農業システム。
【請求項２０】
前記導管が半円の断面構造を有する、請求項１９に記載のモジュール式の壁設置型農業システム。
【発明の詳細な説明】
【背景技術】
【０００１】
本発明は、緑化システムに関し、詳細には、壁または建物構造の垂直面に固定するように適合されたモジュール式の壁面緑化システムに関する。
【発明の概要】
【課題を解決するための手段】
【０００２】
本発明の一態様は、設置構造体を備えるモジュール式の壁設置型農業システムを提供するためのものであり、設置構造体は第１端部と第２端部を含む第１部材であって、設置構造体がほぼ垂直方向に延在する壁面から支持される第１部材と、中に園芸材料を収容するように適合された仕切りを協働して形成する複数の側壁および１つの底部壁と、その中を通る流体を収容するように適合された上向きに開いた開口部とを含む少なくとも１つのプランターボックスとを備え、側壁の少なくとも１つが、壁面に面する後部壁を備え、少なくとも１つのプランターボックスが、設置構造体に設置されるように適合されることで後部壁が壁面から離間され、その間に空間を形成し、少なくとも１つのプランターボックスが、仕切りと、後部壁と壁面の間に位置決めされる空間と流体連通する開口部を含む。
【０００３】
本発明の別の態様は、設置構造体を備えるモジュール式の壁設置型農業システムであって、設置構造体が、第１端部と第２端部を含む第１部材を備え、設置構造体がほぼ垂直方向に延在する壁面から支持されるように適合されており、上向きに開いた第１チャネルと、下向きに開いた第２チャネルが、第１端部と第２端部の間にそれぞれ延在する、モジュール式の壁設置型農業システムを提供するためのものである。システムはさらに、一組のプランターボックスを備え、その各々が協働して中に園芸材料を収容するように適合された仕切りを形成する前部壁、一組の側壁、後部壁および底部壁と、その中を通る流体を収容するように適合された上向きに開いた開口部とを含んでおり、後部壁が、壁面に面するように適合されることでその間に空間を形成し、各々のプランターボックスが、仕切りと、後部壁と壁面の間に位置決めされる空間と流体連通する開口部を含み、一組のプランターボックスが、第１チャネルに取り外し可能に係合するように適合されたほぼ平坦な部分を有する第１のプランターボックスと、第２チャネルに取り外し可能に係合するように適合されたほぼ平坦な部分を有する第２のプランターボックスを含むことで、第１および第２のプランターボックスが、少なくとも部分的に垂直方向に互いと位置合わせされ、各々のプランターボックスの後部壁と壁面の間の空間が互いに流体連通する。
【０００４】
本発明の上記のおよび他の特徴、利点および目的は、以下の明細書、特許請求の範囲および添付の図面を参照することによって当業者によってさらに理解され正当に評価されるであろう。
【図面の簡単な説明】
【０００５】
【図１】本発明を具現化するモジュール式の壁設置型農業システムを利用する垂直面の斜視図である。
【図２】モジュール式の壁設置型農業システムの分解組立斜視図である。
【図３】図１の線ＩＩＩ−ＩＩＩに沿って切り取った、モジュール式の壁設置型農業システムの側部断面図である。
【図４】モジュール式の壁設置型農業システムの設置部材の分解組立斜視図である。
【図５】設置部材の断面斜視図である。
【図６】設置部材の側部断面図である。
【図７】プランターボックスの背面斜視図である。
【発明を実施するための形態】
【０００６】
本明細書の記載の目的に関して、用語「上部」、「下部」、「右」、「左」、「後部」、「前部」、「垂直方向」、「水平方向」およびその派生語は、本発明の図１における配向を基にして用いられている。しかしながら本発明は、別段の明示的な特定がある場合を除き、種々の代替の配向およびステップシーケンスを想定することができることを理解されたい。また添付の図面に図示され、以下の明細書に記載される特定の装置および工程は、添付の特許請求の範囲において定義される発明の概念の例示の実施形態であることも理解されたい。したがって本明細書に開示される実施形態に関する特定の寸法および他の物理的特徴は、特許請求の範囲に別段の明示的な記述がない限り、限定と見なすべきではない。
【０００７】
参照番号１０（図１）は全体として、本発明を具現化するモジュール式の壁設置型農業システムを示している。図示される例では、モジュール式の壁設置型農業システム１０は、建物構造の垂直壁面１２上で利用され、そこに固定されているが、壁設置型農業システム１０は、内側と外側の両方の垂直およびほぼ垂直な壁面と組み合わせて利用される場合もある。壁設置型農業システム１０は、少なくとも１つのプランターボックス１４を備えているが、垂直壁面１２を完全に覆うように協働する複数のプランターボックス１４を備えることの方が多い。
【０００８】
図２および図３に最も良く示されるように、各々のプランターボックス１４は、一組の側壁１６と、前部壁１７と、後部壁２２を含む複数の側壁と、底部壁１８を含み、これらが協働して内側の仕切り２０を形成する。内側の仕切り２０は、例えば植物と、土、土壌、砂などの集合体などの園芸材料を中に収容するように構成されている。
【０００９】
各々のプランターボックス１４は、後部壁２２を含んでおり、これにより内側の仕切り２０を囲み易くしており、この後部壁は、各々の側壁１６の頂部縁部２４を超える地点まで上向きに延在し、また底部壁１８より下の地点までほぼ下向きの方向にも延在する。壁設置型農業システム１０は、設置構造体３０を含んでおり、これは複数の水平方向に延在する設置部材２９と、複数の垂直方向に延在するフレーム部材３１を含んでおり、これらはプランターボックス１４を壁面１２から支持するように適合されている。各々の設置部材２９は、設置構造体３０の全長に沿ってほぼＨ形状の断面を有するように形成されている。各々の設置部材２９のＨ形状が、上部チャネル３２と、下部チャネル３４を形成し、それらは各々設置部材２９の長手方向に沿って延在している。上部チャネル３２は、プランターボックス１４の後部壁２２の下部縁部２８を収容するように大きさが決められている。下部チャネル３４は、プランターボックス１４の後部壁２２の頂部縁部２６を収容するように大きさが決められている。したがって２つの設置部材２９は典型的には、各々のプランターボックス１４を固定するのに利用される。各々の垂直フレーム部材３１は、ハット型の断面構造を与えられる。複数の機械的締め具、例えばねじ３３などが、設置部材２９とフレーム部材３１を貫通して延在することで、壁面１２にそれぞれを固定する。
【００１０】
図２−図６に見られるように、各々の設置部材２９は、第１端部４２と、第２端部４３と、設置部材２９の長手方向に沿って延在する導管３８とを含む。図示される例では、投入開口部４０が、設置部材２９の第１端部４２に配置される。加えて出力開口部が、第２端部４３に含まれることもある。投入開口部４０は、投入水ライン４４と伸縮式に噛み合うように大きさが決められ適合されている。ノズル４６などの水噴霧装置が導管３８内に取り出し口を付けられる。ノズル４６は、水路３８から設置部材２９の真下にあるプランターボックス１４内にある園芸材料に水を噴霧または吹きかけるように適合されている。
【００１１】
代替として、ノズル４６は、導管３８に内に取り出し口が付けられたドリップ組立体４９で置き換えられ（図３および図４）、これらは内側の仕切り２０の中に配置された園芸材料の中に延在する。ノズル４６およびドリップ組立体４９が本明細書で記載されているが、導管３８から内側の仕切りに流体を送達するのに適した他の装置も利用することができる。
【００１２】
組み立てる際、複数の設置部材２９と、垂直フレーム部材３１が、複数のねじ２９によって壁面１２に固定されることで、各々のプランター１４の後部壁２２が、壁面２２から離間され、その間に空間４７を画定する。空間４７は、システム１０の前方に立つ観察者から見えないように隠されることに留意されたい。設置部材２９は、垂直方向に位置合わせされるように壁面１２に固定され、その間にプランターボックス１４を収容するように十分に離間される。先に記載したように、各々のプランターボックス１４の頂部縁部２６は、設置部材２９の底部チャネル３４の中にしっかりと係合し、プランターボックス１４後部壁２２の底部縁部２８は、設置部材２９の頂部チャネル３２としっかりと係合する。投入水ライン４４は、水源から水を運び、各々の設置部材２９の投入開口部４０の中を通過している。これにより、ノズル４６を介してプランターボックス１４の中にある園芸材料に必要に応じて水を散布することができる。
【００１３】
図３および図７に最も良く示されるように、各々のプランターボックス１４はさらに、底部壁１８内に配置され、後部壁２２を貫通して延出する一体式の溝８０を含んでおり、これは中を貫通する開口部８２を画定し、この開口部によって、内側の仕切り２０と、後部壁２２と壁面１２の間に画定される空間４７との間に流体連通が形成される。図示の例では、溝８０は、半円形の断面構造を含む。
【００１４】
作動中、プランターボックス１４の仕切り２０の中に収容された流体は、溝８０と開口部８２を介して仕切り２０から出ていく。この流体は、空間４７へと排出される。垂直に位置合わせされたプランターボックス１４の後部壁２２が協働して隣接する空間４７を隠すことで、この流体は、見られることなく複数のプランターボックス４７の後ろを垂直方向に進むことができる。
【００１５】
本発明のモジュール式の壁設置型農業システムによって自立型の壁および建物の壁構造の垂直およびほぼ垂直な面に園芸材料を固定することが可能になり、これにより構造体の美的外観を高め、関連する建物の熱効率を改善させる。さらに壁設置型農業システムは、それが取付けられる構造体に対して耐久性のある外側の面を提供し、比較的技術を持たない人間でも設置し維持することができる比較的単純な設計を含む。本発明の緑化システムは、効果的に使用され、長期間の作用寿命が可能であり、提案される用途に特に十分に適合される。
【００１６】
上記の記載において、当業者は、本明細書に開示される概念から逸脱することなく、本発明に修正を行なうことができることを容易に理解するであろう。このような修正は、以下の請求項に、それぞれの文言による明示的な別段の記述がない限り、その範囲に含まれるものとみなすべきである。
【符号の説明】
【００１７】
１０  モジュール式の壁設置型農業システム
１２  垂直壁面
１４  プランターボックス
１６  側壁
１７  前部壁
１８  底部壁
２０  仕切り
２２  後部壁
２４  頂部縁部
２６  頂部縁部
２８  下部縁部
２９  設置部材
３０  設置構造体
３１  フレーム部材
３２  頂部チャネル
３３  ねじ
３４  下部チャネル
３８  導管
４０  投入開口部
４２  第１端部
４３  第２端部
４４  水ライン
４６  ノズル
４９  ドリップ組立体
８０  溝
８２  開口部
【図１】
2014064558.tif 000003
【図２】
2014064558.tif 000004
【図３】
2014064558.tif 000005
【図４】
2014064558.tif 000006
【図５】
2014064558.tif 000007
【図６】
2014064558.tif 000008
【図７】
2014064558.tif 000009